(57)【要約】  サブタイトル（グラフィクス）のビデオへの重畳表示を良好に行い得るようにする。  ＵＨＤ解像度のビデオデータを持つビデオストリームとサブタイトルデータを持つサブタイトルストリームを含む所定フォーマットのコンテナを受信する。ビデオストリームをデコードしてビデオデータを得る。サブタイトルストリームをデコードしてサブタイトルのビットマップデータを得る。サブタイトルの解像度がＵＨＤ解像度に不一致の場合、サブタイトルのビットマップデータに対してサブタイトルの位置変換の処理を行う。位置変換の処理が行われたサブタイトルのビットマップデータをビデオデータに重畳して表示用ビデオデータを得る。
2017006948.tif 000002
【特許請求の範囲】
【請求項１】
ＵＨＤ解像度のビデオデータを持つビデオストリームとサブタイトルデータを持つサブタイトルストリームを含む所定フォーマットのコンテナを受信する受信部と、
上記ビデオストリームをデコードしてビデオデータを得るビデオデコード処理と、上記サブタイトルストリームをデコードしてサブタイトルのビットマップデータを得るサブタイトルデコード処理と、上記サブタイトルの解像度が上記ＵＨＤ解像度に不一致の場合、上記サブタイトルのビットマップデータに対してサブタイトルの位置変換の処理を行う位置変換処理と、上記位置変換の処理が行われたサブタイトルのビットマップデータを上記ビデオデータに重畳するビデオ重畳処理を制御する制御部を備える
受信装置。
【請求項２】
上記ＵＨＤ解像度は、ＨＤ解像度を越えるものであり、４Ｋ解像度あるいは８Ｋ解像度を含むものである
請求項１に記載の受信装置。
【請求項３】
上記制御部は、上記位置変換の処理が行われたサブタイトルのビットマップデータに対してサブタイトルのサイズ変換の処理を行うサイズ変換処理をさらに制御し、
上記ビデオ重畳処理では、上記サイズ変換の処理が行われたサブタイトルのビットマップデータを上記ビデオデータに重畳する
請求項１に記載の受信装置。
【請求項４】
受信部により、ＵＨＤ解像度のビデオデータを持つビデオストリームとサブタイトルデータを持つサブタイトルストリームを含む所定フォーマットのコンテナを受信する受信ステップと、
上記ビデオストリームにデコード処理を施してビデオデータを得るビデオデコードステップと、
上記サブタイトルストリームにデコード処理を施してサブタイトルのビットマップデータを得るサブタイトルデコードステップと、
上記サブタイトルの解像度が上記ＵＨＤ解像度に不一致の場合、上記サブタイトルのビットマップデータに対して、サブタイトルの位置変換の処理を行う位置変換ステップと、
上記位置変換の処理が行われたサブタイトルのビットマップデータを上記ビデオデータに重畳するビデオ重畳ステップを有する
受信方法。
【請求項５】
ＵＨＤ解像度のビデオデータを持つビデオストリームとサブタイトルデータを持つサブタイトルストリームを含む所定フォーマットのコンテナを受信する受信部と、
上記ビデオストリームをデコードしてビデオデータを得るビデオデコード処理と、上記サブタイトルストリームに基づいて表示用のサブタイトルのビットマップデータを取得するビットマップデータ取得処理と、上記取得された表示用のサブタイトルのビットマップデータを上記ビデオデータに重畳するビデオ重畳処理を制御する制御部を備え、
上記サブタイトルストリームのレイヤおよび/または上記コンテナのレイヤに、サブタイトルの位置指定方法を示す識別情報が挿入されており、
上記ビットマップデータ取得処理では、
上記サブタイトルストリームに上記識別情報で示される位置指定方法に応じた処理を行って上記表示用のサブタイトルのビットマップデータを取得する
受信装置。
【請求項６】
上記識別情報で示される位置指定方法が、ＨＤの表示領域にＨＤ画素単位で位置指定を行う方法である場合、
上記ビットマップデータ取得処理では、
上記サブタイトルストリームをデコードしてサブタイトルのビットマップデータを得、該ビットマップデータに対して上記ＵＨＤ解像度の上記ＨＤ解像度に対する比率に基づいて位置変換処理を行って上記表示用のサブタイトルのビットマップデータを取得する
請求項５に記載の受信装置。
【請求項７】
上記識別情報で示される位置指定方法がＵＨＤの表示領域にウインドウでＨＤ表示領域を定義し、該ウインドウ表示領域で位置指定を行う方法である場合、
上記ビットマップデータ取得処理では、
上記サブタイトルストリームをデコードしてサブタイトルのビットマップデータを得、該ビットマップデータに対して上記ウインドウ表示領域の情報に基づいて位置変換処理を行って上記表示用のサブタイトルのビットマップデータを取得する
請求項５に記載の受信装置。
【請求項８】
上記識別情報で示される位置指定方法が、ＵＨＤの表示領域にＵＨＤ画素単位で位置指定を行う方法である場合、
上記ビットマップデータ取得処理では、
上記サブタイトルストリームをデコードしてサブタイトルのビットマップデータを得、該ビットマップデータをそのまま上記表示用のサブタイトルのビットマップデータとする
請求項５に記載の受信装置。
【請求項９】
上記制御部は、上記ビットマップデータ取得処理で取得されたサブタイトルのビットマップデータに対してサブタイトルのサイズ変換の処理を行うサブタイトル処理をさらに制御し、
上記ビデオ重畳処理では、上記サイズ変換の処理が行われたサブタイトルのビットマップデータを上記ビデオデータに重畳する
請求項５に記載の受信装置。
【請求項１０】
受信部により、ＵＨＤ解像度のビデオデータを持つビデオストリームとサブタイトルデータを持つサブタイトルストリームを含む所定フォーマットのコンテナを受信する受信ステップと、
上記ビデオストリームにデコード処理を施してビデオデータを得るビデオデコードステップと、
上記サブタイトルストリームに基づいて表示用のサブタイトルのビットマップデータを取得するビットマップデータ取得ステップと、
上記取得されたサブタイトルのビットマップデータを上記ビデオデータに重畳するビデオ重畳ステップを有し、
上記サブタイトルストリームのレイヤおよび/または上記コンテナのレイヤに、サブタイトルの位置指定方法を示す識別情報が挿入されており、
上記ビットマップデータ取得ステップでは、
上記サブタイトルストリームに上記識別情報で示される位置指定方法に応じた処理を行って上記表示用のサブタイトルのビットマップデータを取得する
受信方法。
【請求項１１】
ＵＨＤ解像度のビデオデータを持つビデオストリームとサブタイトルデータを持つサブタイトルストリームを含む所定フォーマットのコンテナを送信する送信部と、
上記サブタイトルストリームのレイヤおよび/または上記コンテナのレイヤに、サブタイトルの位置指定方法を示す識別情報を挿入する情報挿入部を備える
送信装置。
【請求項１２】
上記サブタイトルの位置指定方法には、ＨＤの表示領域にＨＤ画素単位で位置指定を行う方法が含まれる
請求項１１に記載の送信装置。
【請求項１３】
上記サブタイトルの位置指定方法には、ＵＨＤの表示領域にウインドウでＨＤ表示領域を定義し、該ウインドウの表示領域で位置指定を行う方法が含まれる
請求項１１に記載の送信装置。
【請求項１４】
上記サブタイトルの位置指定方法には、ＵＨＤの表示領域にＵＨＤ画素単位で位置指定を行う方法が含まれる
請求項１１に記載の送信装置。
【請求項１５】
上記情報挿入部は、
上記識別情報をイベント・インフォメーション・テーブル、サービス・デスクリプション・テーブル、あるいはセレクション・インフォメーション・テーブルの配下に挿入する
請求項１１に記載の送信装置。
【請求項１６】
上記情報挿入部は、
上記識別情報をディスプレイ・ディフィニション・セグメントに挿入する
請求項１１に記載の送信装置。
【請求項１７】
送信部により、ＵＨＤ解像度のビデオデータを持つビデオストリームとサブタイトルデータを持つサブタイトルストリームを含む所定フォーマットのコンテナを送信する送信ステップと、
上記サブタイトルストリームのレイヤおよび/または上記コンテナのレイヤに、サブタイトルの位置指定方法を示す識別情報を挿入する情報挿入ステップを有する
送信方法。
【請求項１８】
ＵＨＤ解像度のビデオデータを持つビデオストリームとグラフィクスデータを持つグラフィクスストリームを含む所定フォーマットのコンテナを受信する受信部と、
上記ビデオストリームをデコードしてビデオデータを得るビデオデコード処理と、上記グラフィクスストリームをデコードしてグラフィクスのビットマップデータを得るグラフィクスデコード処理と、上記グラフィクスの解像度が上記ＵＨＤ解像度に不一致の場合、上記グラフィクスのビットマップデータに対してグラフィクスの位置変換の処理を行う位置変換処理と、上記位置変換の処理が行われたグラフィクスのビットマップデータを上記ビデオデータに重畳するビデオ重畳処理を制御する制御部を備える
受信装置。
【請求項１９】
ＵＨＤ解像度のビデオデータを持つビデオストリームとグラフィクスデータを持つグラフィクスストリームを含む所定フォーマットのコンテナを受信する受信部と、
上記ビデオストリームをデコードしてビデオデータを得るビデオデコード処理と、上記グラフィクスストリームに基づいて表示用のグラフィクスのビットマップデータを取得するビットマップデータ取得処理と、上記取得されたグラフィクスのビットマップデータを上記ビデオデータに重畳するビデオ重畳処理を制御する制御部を備え、
上記グラフィクスストリームのレイヤおよび/または上記コンテナのレイヤに、グラフィクスの位置指定方法を示す識別情報が挿入されており、
上記ビットマップデータ取得処理では、
上記グラフィクスストリームに上記識別情報で示される位置指定方法に応じた処理を行って上記表示用のグラフィクスのビットマップデータを取得する
受信装置。
【請求項２０】
ＵＨＤ解像度のビデオデータを持つビデオストリームとグラフィクスデータを持つグラフィクスストリームを含む所定フォーマットのコンテナを送信する送信部と、
上記グラフィクスストリームのレイヤおよび/または上記コンテナのレイヤに、グラフィクスの位置指定方法を示す識別情報を挿入する情報挿入部を備える
送信装置。
【発明の詳細な説明】
【技術分野】
【０００１】
本技術は、受信装置、受信方法、送信装置および送信方法に関し、詳しくは、サブタイトルやグラフィクスをビデオに重畳表示する受信装置等に関する。
【背景技術】
【０００２】
従来、例えば、ＤＶＢ（Digital Video Broadcasting）の放送などでは、サブタイトルデータをビットマップデータで送信する運用が行われている（例えば、特許文献１参照）。
【先行技術文献】
【特許文献】
【０００３】
【特許文献１】特開２０１１−０３０１８０号公報
【発明の概要】
【発明が解決しようとする課題】
【０００４】
従来のサブタイトルデータの送信方法においては、背景となるビデオの解像度に依存した精度のデータを送ることを前提としていた。４Ｋ、８ＫなどのＵＨＤ（Ultra High Definition）解像度のビデオサービスで、サブタイトルの解像度は種々考えられる。【０００５】
本技術の目的は、サブタイトル（グラフィクス）のビデオへの重畳表示を良好に行い得るようにすることにある。
【課題を解決するための手段】
【０００６】
本技術の概念は、
ＵＨＤ解像度のビデオデータを持つビデオストリームとサブタイトルデータを持つサブタイトルストリームを含む所定フォーマットのコンテナを受信する受信部と、
上記ビデオストリームをデコードしてビデオデータを得るビデオデコード処理と、上記サブタイトルストリームをデコードしてサブタイトルのビットマップデータを得るサブタイトルデコード処理と、上記サブタイトルの解像度が上記ＵＨＤ解像度に不一致の場合、上記サブタイトルのビットマップデータに対してサブタイトルの位置変換の処理を行う位置変換処理と、上記位置変換の処理が行われたサブタイトルのビットマップデータを上記ビデオデータに重畳するビデオ重畳処理を制御する制御部を備える
受信装置にある。【０００７】
本技術において、受信部により、ＵＨＤ解像度のビデオデータを持つビデオストリームとサブタイトルデータを持つサブタイトルストリームを含む所定フォーマットのコンテナが受信される。制御部により、ビデオデコード処理、サブタイトルデコード処理、位置変換処理およびビデオ重畳処理が制御される。ビデオデコード処理では、ビデオストリームがデコードされてビデオデータが得られる。サブタイトルデコード処理では、サブタイトルストリームがデコードされてサブタイトルのビットマップデータが得られる。【０００８】
位置変換処理では、サブタイトルの解像度がＵＨＤ解像度に不一致の場合、サブタイトルのビットマップデータに対してサブタイトルの位置変換の処理が行われる。そして、ビデオ重畳処理では、位置変換の処理が行われたサブタイトルのビットマップデータがビデオデータに重畳される。例えば、ＵＨＤ解像度は、ＨＤ解像度を越えるものであり、４Ｋ解像度あるいは８Ｋ解像度を含むものであってもよい。【０００９】
このように本技術においては、サブタイトルの解像度がビデオのＵＨＤ解像度と一致しない場合に、サブタイトルのビットマップデータに対してサブタイトルの位置変換の処理が行われる。そのため、サブタイトルのビデオへの重畳表示を良好に行い得る。つまり、サブタイトルの解像度がビデオのＵＨＤ解像度と一致しない場合であっても、サブタイトルを背景ビデオの適切な位置に表示することが可能となる。【００１０】
なお、本技術において、制御部は、位置変換の処理が行われたサブタイトルのビットマップデータに対してサブタイトルのサイズ変換の処理を行うサイズ変換処理をさらに制御し、ビデオ重畳処理では、サイズ変換の処理が行われたサブタイトルのビットマップデータをビデオデータに重畳する、ようにされてもよい。この場合、サブタイトルを適切なサイズで表示することが可能となる。【００１１】
また、本技術の他の概念は、
ＵＨＤ解像度のビデオデータを持つビデオストリームとサブタイトルデータを持つサブタイトルストリームを含む所定フォーマットのコンテナを受信する受信部と、
上記ビデオストリームをデコードしてビデオデータを得るビデオデコード処理と、上記サブタイトルストリームに基づいて表示用のサブタイトルのビットマップデータを取得するビットマップデータ取得処理と、上記取得されたサブタイトルのビットマップデータを上記ビデオデータに重畳するビデオ重畳処理を制御する制御部を備え、
上記サブタイトルストリームのレイヤおよび/または上記コンテナのレイヤに、サブタイトルの位置指定方法を示す識別情報が挿入されており、
上記ビットマップデータ取得処理では、
上記サブタイトルストリームに上記識別情報で示される位置指定方法に応じた処理を行って上記表示用のサブタイトルのビットマップデータを取得する
受信装置にある。【００１２】
本技術において、受信部により、ＵＨＤ解像度のビデオデータを持つビデオストリームとサブタイトルデータを持つサブタイトルストリームを含む所定フォーマットのコンテナが受信される。制御部により、ビデオデコード処理、ビットマップデータ取得処理およびビデオ重畳処理が制御される。ビデオデコード処理では、ビデオストリームがデコードされてビデオデータが得られる。サブタイトルストリームのレイヤおよび/またはコンテナのレイヤに、サブタイトルの位置指定方法を示す識別情報が挿入されている。【００１３】
ビットマップデータ取得処理では、サブタイトルストリームに基づいて表示用のサブタイトルのビットマップデータが取得される。ビットマップデータ取得処理では、サブタイトルストリームに識別情報で示される位置指定方法に応じた処理が行われて表示用のサブタイトルのビットマップデータが取得される。ビデオ重畳処理では、このように取得されたサブタイトルのビットマップデータがビデオデータに重畳される。【００１４】
例えば、識別情報で示される位置指定方法が、ＨＤの表示領域にＨＤ画素単位で位置指定を行う方法である場合、ビットマップデータ取得処理では、サブタイトルストリームをデコードしてサブタイトルのビットマップデータを得、このビットマップデータに対してＵＨＤ解像度のＨＤ解像度に対する比率に基づいて位置変換処理を行って表示用のサブタイトルのビットマップデータを取得する、ようにされてもよい。【００１５】
また、例えば、識別情報で示される位置指定方法がＵＨＤの表示領域にウインドウでＨＤ表示領域を定義し、このウインドウ表示領域で位置指定を行う方法である場合、ビットマップデータ取得処理では、サブタイトルストリームをデコードしてサブタイトルのビットマップデータを得、このビットマップデータに対してウインドウ表示領域の情報に基づいて位置変換処理を行って表示用のサブタイトルのビットマップデータを取得する、ようにされてもよい。【００１６】
また、例えば、識別情報で示される位置指定方法が、ＵＨＤの表示領域にＵＨＤ画素単位で位置指定を行う方法である場合、ビットマップデータ取得処理では、サブタイトルストリームをデコードしてサブタイトルのビットマップデータを得、このビットマップデータをそのまま表示用のサブタイトルのビットマップデータとする、ようにされてもよい。【００１７】
このように本技術においては、サブタイトルストリームに識別情報で示される位置指定方法に応じた処理が行われて表示用のサブタイトルのビットマップデータが取得される。そのため、サブタイトルのビデオへの重畳表示を良好に行い得る。例えば、サブタイトルの解像度がビデオのＵＨＤ解像度と一致しない場合であっても、サブタイトルを背景ビデオの適切な位置に表示することが可能となる。【００１８】
なお、本技術において、例えば、制御部は、ビットマップデータ取得処理で取得されたサブタイトルのビットマップデータに対してサブタイトルのサイズ変換の処理を行うサブタイトル処理部をさらに制御し、ビデオ重畳処理では、サイズ変換の処理が行われたサブタイトルのビットマップデータをビデオデータに重畳する、ようにされてもよい。この場合、サブタイトルを適切なサイズで表示することが可能となる。【００１９】
また、本技術の他の概念は、
ＵＨＤ解像度のビデオデータを持つビデオストリームとサブタイトルデータを持つサブタイトルストリームを含む所定フォーマットのコンテナを送信する送信部と、
上記サブタイトルストリームのレイヤおよび/または上記コンテナのレイヤに、サブタイトルの位置指定方法を示す識別情報を挿入する情報挿入部を備える
送信装置にある。【００２０】
本技術において、送信部により、ＵＨＤ解像度のビデオデータを持つビデオストリームとサブタイトルデータを持つサブタイトルストリームを含む所定フォーマットのコンテナが送信される。情報挿入部により、サブタイトルストリームのレイヤおよび/またはコンテナのレイヤに、サブタイトルの位置指定方法を示す識別情報が挿入される。【００２１】
例えば、情報挿入部は、識別情報をイベント・インフォメーション・テーブル、サービス・デスクリプション・テーブル、あるいはセレクション・インフォメーション・テーブルの配下に挿入する、ようにされてもよい。また、例えば、情報挿入部は、識別情報をディスプレイ・ディフィニション・セグメントに挿入する、ようにされてもよい。【００２２】
例えば、サブタイトルの位置指定方法には、ＨＤの表示領域にＨＤ画素単位で位置指定を行う方法が含まれる、ようにされてもよい。また、例えば、サブタイトルの位置指定方法には、ＵＨＤの表示領域にウインドウでＨＤ表示領域を定義し、このウインドウの表示領域で位置指定を行う方法が含まれる、ようにされてもよい。また、例えば、サブタイトルの位置指定方法には、ＵＨＤの表示領域にＵＨＤ画素単位で位置指定を行う方法が含まれる、ようにされてもよい。【００２３】
このように本技術においては、サブタイトルの位置指定方法を示す識別情報が、サブタイトルストリームのレイヤおよび/またはコンテナのレイヤに挿入されて送信される。そのため、受信側では、サブタイトルストリームに対してこの識別情報で示される位置指定方法に応じた処理を行って表示用のサブタイトルのビットマップデータを取得することで、サブタイトルのビデオへの重畳表示を良好に行い得る。【００２４】
また、本技術の他の概念は、
ＵＨＤ解像度のビデオデータを持つビデオストリームとグラフィクスデータを持つグラフィクスストリームを含む所定フォーマットのコンテナを受信する受信部と、
上記ビデオストリームをデコードしてビデオデータを得るビデオデコード処理と、上記グラフィクスストリームをデコードしてグラフィクスのビットマップデータを得るグラフィクスデコード処理と、上記グラフィクスの解像度が上記ＵＨＤ解像度に不一致の場合、上記グラフィクスのビットマップデータに対してグラフィクスの位置変換の処理を行う位置変換処理と、上記位置変換の処理が行われたグラフィクスのビットマップデータを上記ビデオデータに重畳するビデオ重畳処理を制御する制御部を備える
受信装置にある。【００２５】
また、本技術の他の概念は、
ＵＨＤ解像度のビデオデータを持つビデオストリームとグラフィクスデータを持つグラフィクスストリームを含む所定フォーマットのコンテナを受信する受信部と、
上記ビデオストリームをデコードしてビデオデータを得るビデオデコード処理と、上記グラフィクスストリームに基づいて表示用のグラフィクスのビットマップデータを取得するビットマップデータ取得処理と、上記取得されたグラフィクスのビットマップデータを上記ビデオデータに重畳するビデオ重畳処理を制御する制御部を備え、
上記グラフィクスストリームのレイヤおよび/または上記コンテナのレイヤに、グラフィクスの位置指定方法を示す識別情報が挿入されており、
上記ビットマップデータ取得処理では、
上記グラフィクスストリームに上記識別情報で示される位置指定方法に応じた処理を行って上記表示用のグラフィクスのビットマップデータを取得する
受信装置にある。【００２６】
また、本技術の他の概念は、
ＵＨＤ解像度のビデオデータを持つビデオストリームとグラフィクスデータを持つグラフィクスストリームを含む所定フォーマットのコンテナを送信する送信部と、
上記グラフィクスストリームのレイヤおよび/または上記コンテナのレイヤに、グラフィクスの位置指定方法を示す識別情報を挿入する情報挿入部を備える
送信装置にある。
【発明の効果】
【００２７】
本技術によれば、サブタイトルのビデオへの重畳表示を良好に行い得る。なお、本明細書に記載された効果はあくまで例示であって限定されるものではなく、また付加的な効果があってもよい。
【図面の簡単な説明】
【００２８】
【図１】実施の形態としての送受信システムの構成例を示すブロック図である。
【図２】背景ビデオ上のサブタイトルの表示位置と位置変換について説明するための図である。
【図３】送信装置の構成例を示すブロック図である。
【図４】ディスプレイ・ディフィニション・セグメントの構造例を示す図である。
【図５】ディスプレイ・ディフィニション・セグメントにおける「display_positioning_type」のフィールドの内容を示す図である。
【図６】ページ・コンポジション・セグメントの構造例を示す図である。
【図７】リージョン・コンポジション・セグメントの構造例を示す図である。
【図８】ＣＬＵＴ・デフィニション・セグメントの構造例を示す図である。
【図９】サブタイトルの位置指定方法としての第２の方法（ＵＨＤの表示領域にウインドウでＨＤ表示領域を定義し、このウインドウの表示領域で位置指定を行う方法）を説明するための図である。
【図１０】第２の方法において、ウインドウの位置を時系列的に変化させる場合を説明するための図である。
【図１１】サブタイトルの位置指定方法としての第３の方法（ＵＨＤの表示領域にＵＨＤ画素単位で位置指定を行う方法）を説明するための図である。
【図１２】サブタイトルの位置指定方法としての第１の方法（ＨＤの表示領域にＨＤ画素単位で位置指定を行う方法）を説明するための図である。
【図１３】コンポーネント・デスクリプタの構造例と、その構造例における主要な情報の内容を示す図である。
【図１４】トランスポートストリームＴＳの構成例を示す図である。
【図１５】受信装置の構成例を示すブロック図である。
【図１６】位置変換部における位置変換処理の一例を示すフローチャートである。
【図１７】サブタイトルのサイズ変換処理の説明に供する図である。
【発明を実施するための形態】
【００２９】
以下、発明を実施するための形態（以下、「実施の形態」とする）について説明する。なお、説明を以下の順序で行う。
１．実施の形態
２．変形例
【００３０】
＜１．実施の形態＞
［送受信システムの構成例］
図１は、実施の形態としての送受信システム１０の構成例を示している。この送受信システム１０は、送信装置１００および受信装置２００により構成されている。
【００３１】
送信装置１００は、コンテナとしてのＭＰＥＧ２のトランスポートストリームＴＳを生成し、このトランスポートストリームＴＳを放送波あるいはネットのパケットに載せて送信する。このトランスポートストリームＴＳには、ＵＨＤ解像度のビデオデータ（画像データ）を持つビデオストリームが含まれる。ここで、ＵＨＤ解像度は、ＨＤ解像度を越えるものであり、４Ｋ解像度あるいは８Ｋ解像度を含むものである。
【００３２】
また、このトランスポートストリームＴＳには、サブタイトルデータ（字幕データ）を持つサブタイトルストリームが含まれる。ここで、サブタイトルデータは、サブタイトルのビットマップデータである。サブタイトルストリームのレイヤおよび/またはコンテナとしてのトランスポートストリームＴＳのレイヤに、サブタイトルの位置指定方法を示す識別情報が挿入されている。
【００３３】
この実施の形態において、サブタイトルの位置指定方法には、以下の第１から第３の方法が含まれる。
第１の方法：ＨＤの表示領域にＨＤ画素単位で位置指定を行う方法
第２の方法：ＵＨＤの表示領域にウインドウでＨＤ表示領域を定義し、このウインドウの表示領域で位置指定を行う方法
第３の方法：ＵＨＤの表示領域にＵＨＤ画素単位で位置指定を行う方法
【００３４】
受信装置２００は、送信装置１００から送られてくるトランスポートストリームＴＳを受信する。受信装置２００は、ビデオストリームにデコード処理を施してビデオデータを得る。また、受信装置２００は、サブタイトルストリームに基づいて表示用のサブタイトルのビットマップデータを取得する。受信装置２００は、この表示用のサブタイトルのビットマップデータに、必要に応じて、サイズ変換処理をする。そして、受信装置２００は、この表示用のサブタイトルのビットマップデータをビデオデータに重畳して、表示用のビデオデータを得る。
【００３５】
ここで、受信装置２００は、識別情報で示される位置指定方法が第１の方法であるとき、サブタイトルストリームにデコード処理を施してサブタイトルのビットマップデータを得、このビットマップデータに対してＵＨＤ解像度のＨＤ解像度に対する比率に基づいて位置変換処理を行って表示用のサブタイトルのビットマップデータを取得する。
【００３６】
また、受信装置２００は、識別情報で示される位置指定方法が第２の方法であるとき、サブタイトルストリームにデコード処理を施してサブタイトルのビットマップデータを得、このビットマップデータに対してウインドウ表示領域の情報に基づいて位置変換処理を行って表示用のサブタイトルのビットマップデータを取得する。
【００３７】
また、受信装置２００は、識別情報で示される位置指定方法が第３の方法であるとき、サブタイトルストリームにデコード処理を施してサブタイトルのビットマップデータを得、このビットマップデータをそのまま表示用のサブタイトルのビットマップデータとする。
【００３８】
「背景ビデオ上のサブタイトルの表示位置」
ここで、背景ビデオ上のサブタイトルの表示位置について説明する。図２（ａ）は、ビデオがＨＤ解像度で、サブタイトルがＨＤ解像度対応である場合の例を示している。サブタイトルの表示領域であるリージョンの開始点の画素位置は（ａ，ｂ）、その終了点の画素位置は（ｃ，ｄ）となっている。この場合、背景ビデオの解像度とサブタイトルの解像度とが一致しているので、受信側では、サブタイトルの位置変換処理をせずとも、背景ビデオ上の制作側が意図した位置にサブタイトルを表示することが可能となる。
【００３９】
図２（ｂ）は、ビデオがＵＨＤ解像度で、サブタイトルが同じＵＨＤ解像度対応である場合の例を示している。サブタイトルの表示領域であるリージョンの開始点の画素位置は（ａ，ｂ）、その終了点の画素位置は（ｃ，ｄ）となっている。この場合、背景ビデオの解像度とサブタイトルの解像度とが一致しているので、受信側では、サブタイトルの位置変換処理をせずとも、背景ビデオ上の制作側が意図した位置にサブタイトルを表示することが可能となる。この例は、受信側で位置変換処理を行わないので、上述のサブタイトルの位置指定方法が第３の方法である場合に対応する。
【００４０】
図２（ｃ）は、ビデオがＵＨＤ解像度で、サブタイトルがＨＤ解像度対応である場合の例を示している。サブタイトルの表示領域であるリージョンの開始点の画素位置は（ａ，ｂ）、その終了点の画素位置は（ｃ，ｄ）となっている。この場合、背景ビデオの解像度がサブタイトルの解像度より大きいことから、背景ビデオ上のサブタイトルの表示位置は、制作側が意図した位置ではなく、右上に偏った状態となる。
【００４１】
この場合、受信側では、サブタイトルの位置変換処理を行うことで、背景ビデオ上の制作側が意図した位置にサブタイトルを表示することが可能となる。図２（ｄ）は、位置変換処理を行った場合の例を示している。サブタイトルの表示領域であるリージョンの開始点の画素位置は（ａ´，ｂ´）、その終了点の画素位置は（ｃ´，ｄ´）となっている。なお、この例では、位置変換と同時に、サブタイトルのサイズ変換処理も行っている。この例は、受信側で位置変換処理を行うので、上述のサブタイトルの位置指定方法が第１あるいは第２の方法である場合に対応する。
【００４２】
「送信装置の構成例」
図３は、送信装置１００の構成例を示している。この送信装置１００は、制御部１０１と、カメラ１０２と、ビデオ光電変換部１０３と、ＲＧＢ/ＹＣｂＣｒ変換部１０４と、ビデオエンコーダ１０５と、サブタイトル発生部１０６と、ビットマップデータ発生部１０７と、サブタイトルエンコーダ１０８と、システムエンコーダ１０９と、送信部１１０を有している。
【００４３】
制御部１０１は、ＣＰＵ（Central Processing Unit）を備えて構成され、制御プログラムに基づいて、送信装置１００の各部の動作を制御する。カメラ１０２は、被写体を撮像して４Ｋ解像度、８Ｋ解像度などのＵＨＤ解像度のビデオデータ（画像データ）を出力する。ビデオ光電変換部１０３は、カメラ１０２で得られたビデオデータに対して、光電変換を施して、伝送ビデオデータＶ１を得る。
【００４４】
ＲＧＢ/ＹＣｂＣｒ変換部１０４は、伝送ビデオデータをＲＧＢドメインからＹＣｂＣｒ（輝度・色差）ドメインに変換する。ビデオエンコーダ１０５は、ＹＣｂＣｒドメインに変換された伝送ビデオデータＶ１に対して、例えば、ＭＰＥＧ４−ＡＶＣあるいはＨＥＶＣなどの符号化を施し、符号化ビデオデータを含むビデオストリーム（ＰＥＳストリーム）ＶＳを生成する。
【００４５】
サブタイトル発生部１０６は、サブタイトル情報としてのテキストデータ（文字コード）ＤＴを発生する。ビットマップデータ発生部１０７は、サブタイトル発生部１０６で発生されるテキストデータＤＴを入力し、サブタイトルのビットマップデータを発生する。サブタイトルエンコーダ１０８は、サブタイトルのビットマップデータと表示制御情報を種々のセグメントに変換し、ペイロードにそれらのセグメントを配置したＰＥＳパケットで構成されるサブタイトルストリームＳＳを生成する。
【００４６】
サブタイトルの解像度の情報は、ディスプレイ・ディフィニション・セグメント（display_difinition_segment）に含まれる。また、この実施の形態において、このディスプレイ・ディフィニション・セグメントには、サブタイトルの位置指定方法を示す識別情報も含まれる。
【００４７】
図４は、ディスプレイ・ディフィニション・セグメントの構造例（Syntax）を示している。「display_window_flag」の１ビットフィールドは、ウインドウの定義があるか否かを示す。“１”は、ウインドウの定義があることを示す。“０”は、ウインドウの定義がないことを示す。「display_positioning_type」の２ビットフィールドは、サブタイトルの位置指定方法を示す。
【００４８】
図５に示すように、“００”は、第１の方法、つまりＨＤの表示領域にＨＤ画素単位で位置指定を行う方法であることを示す。“０１”は、第２の方法、つまりＵＨＤの表示領域にウインドウでＨＤ表示領域を定義し、このウインドウの表示領域で位置指定を行う方法であることを示す。“１０”は、第３の方法、つまりＵＨＤの表示領域にＵＨＤ画素単位で位置指定を行う方法であることを示す。
【００４９】
図４に戻って、「display_width」の１６ビットフィールド、「display_height」の１６ビットフィールドは、サブタイトルの解像度を示す。例えば、「display_width」は、ＨＤ解像度であるときは１９２０を示し、４Ｋ解像度であるときは３８２０を示す。また、例えば、「display_height」は、ＨＤ解像度であるときは１０８０を示し、４Ｋ解像度であるときは２１６０を示す。
【００５０】
「display_window_flag」＝“１”であるとき、ウインドウの領域を示すフィールドが存在する。すなわち、「display_window_horizontal_position_minimum」の１６ビットフィールド、「display_window_horizontal_position_maximum」の１６ビットフィールド、「display_window_vertical_position_minimum」の１６ビットフィールド、「display_window_vertical_position_maximum」の１６ビットフィールドが存在する。
【００５１】
「display_window_horizontal_position_minimum」および「display_window_vertical_position_minimum」のフィールドは、ウインドウの開始点の座標を示す。「display_window_horizontal_position_maximum」および「display_window_vertical_position_maximum」のフィールドは、ウインドウの終了点の座標を示す。
【００５２】
また、サブタイトルの表示領域であるリージョン（Region）の開始位置の情報は、ページ・コンポジション・セグメント（page_composition_segment）に含まれる。図６は、ページ・コンポジション・セグメントの構造例（Syntax）を示している。「region_horizontal_address」および「region_vertical_address」のフィールドは、リージョン（Region）の開始位置の座標を示す。
【００５３】
また、リージョンの水平、垂直のサイズを示す情報は、リージョン・コンポジション・セグメント（region_composition_segment）に含まれる。図７は、リージョン・コンポジション・セグメントの構造例（Syntax）を示している。「region_width」のフィールドおよび「resion_height」のフィールドは、リージョンの水平、垂直のサイズを示している。
【００５４】
また、サブタイトル（字幕）と背景ビデオとの混合比を示す情報は、ＣＬＵＴ・デフィニション・セグメント（CLUT_definition_segment）に含まれる。図８は、ＣＬＵＴ・デフィニション・セグメントの構造例（Syntax）を示している。「T-value」のフィールドは、サブタイトルと背景ビデオとの混合比を示している。
【００５５】
ここで、各サブタイトルの位置指定方法における各フィールドの値の設定について説明する。最初は、第２の方法（「display_positioning_type」＝“０１”）の場合について説明する。この場合、ディスプレイ・ディフィニション・セグメント（図４参照）の「display_width」、「display_height」のフィールドは、図９（ａ）に示すＵＨＤ表示領域を示す。このＵＨＤ表示領域の開始点の座標は（０，０）で、その終了点の座標は（ｘ、ｙ）である。この場合、「display_width」＝ＵＨＤ＿ｈ、「display_height」＝ＵＨＤ＿ｖである。
【００５６】
そして、この場合、ディスプレイ・ディフィニション・セグメント（図４参照）の「display_window_flag」は“１”であり、ウインドウの領域を示すフィールドが存在する。このウインドウは、ＨＤの表示領域と同じサイズ、つまり水平方向サイズがＨＤ＿ｈ、垂直方向サイズがＨＤ＿ｖである。
【００５７】
ディスプレイ・ディフィニション・セグメント（図４参照）の「display_window_horizontal_position_minimum」および「display_window_vertical_position_minimum」のフィールドは、ウインドウの開始点の座標（ｓｆｘ、ｓｆｙ）を示す。また、ディスプレイ・ディフィニション・セグメント（図４参照）の「display_window_horizontal_position_maximum」および「display_window_vertical_position_maximum」のフィールドは、ウインドウの終了点の座標（eｆｘ、eｆｙ）を示す。
【００５８】
この場合、図９（ｂ）に示すように、ページ・コンポジション・セグメント（図６参照）の「region_horizontal_address」および「region_vertical_address」のフィールドで示されるリージョンの開始位置の座標は、ウインドウの開始点の座標（ｓｆｘ、ｓｆｙ）を起点とする座標となる。
【００５９】
ここで、ＵＨＤ表示領域の開始点（０，０）を起点とすると、リージョンＡ、リージョンＢの表示開始位置（Rendering start position）および表示終了位置（Rendering end position）は、図９（ｃ）に示すように表される。すなわち、リージョンＡ、リージョンＢをＵＨＤ解像度の背景ビデオ上に表示する場合、ウインドウのオフセットを加えて、ＵＨＤの座標系に変換（位置変換）する。これにより、ＵＨＤ解像度の背景ビデオの上に、オフセットを付けて、ＨＤ解像度のサブタイトルを表示できる。
【００６０】
この場合、サブタイトルの表示領域はウインドウ内に限定される。しかし、図１０（ａ）に示すように、ウインドウの位置を時系列的に変化させることで、ＵＨＤ表示領域を全体的に使ってサブタイトルを表示することが可能となる。図１０（ｂ）、図１０（ｃ）は、ウインドウの位置を変化させて、ＵＨＤ表示領域上でサブタイトルの表示位置を変化させた場合の例を示している。
【００６１】
次に、第３の方法（「display_positioning_type」＝“１０”）の場合について説明する。この場合、ディスプレイ・ディフィニション・セグメント（図４参照）の「display_width」、「display_height」のフィールドは、図１１（ａ）に示すＵＨＤ表示領域を示す。このＵＨＤ表示領域の開始点の座標は（０，０）で、その終了点の座標は（ｘ、ｙ）である。この場合、「display_width」＝ＵＨＤ＿ｈ、「display_height」＝ＵＨＤ＿ｖである。この場合、ディスプレイ・ディフィニション・セグメント（図４参照）の「display_window_flag」は“０”であり、ウインドウの領域を示すフィールドは存在しない。
【００６２】
この場合、図１１（ａ）に示すように、ページ・コンポジション・セグメント（図６参照）の「region_horizontal_address」および「region_vertical_address」のフィールドで示されるリージョンの開始位置の座標は、ＵＨＤ表示領域の開始点の座標（０，０）を起点とする座標となる。
【００６３】
ここで、リージョンＡ、リージョンＢの表示開始位置（Rendering start position）および表示終了位置（Rendering end position）は、図１１（ｂ）に示すように表される。リージョンＡ、リージョンＢをＵＨＤ解像度の背景ビデオ上に表示する場合、リージョンＡ、リージョンＢは既にＵＨＤの座標系にあるので、ＵＨＤの座標系への変換（位置変換）は不要となる。
【００６４】
次に、第１の方法（「display_positioning_type」＝“００”）の場合について説明する。この場合、ディスプレイ・ディフィニション・セグメント（図４参照）の「display_width」、「display_height」のフィールドは、図１２（ａ）に示すＨＤ表示領域を示す。このＨＤ表示領域の開始点の座標は（０，０）で、その終了点の座標は（ｘ、ｙ）である。この場合、「display_width」＝ＨＤ＿ｈ、「display_height」＝ＨＤ＿ｖである。この場合、ディスプレイ・ディフィニション・セグメント（図４参照）の「display_window_flag」は“０”であり、ウインドウの領域を示すフィールドは存在しない。
【００６５】
この場合、図１２（ａ）に示すように、ページ・コンポジション・セグメント（図６参照）の「region_horizontal_address」および「region_vertical_address」のフィールドで示されるリージョンの開始位置の座標は、ＨＤ表示領域の開始点の座標（０，０）を起点とする座標となる。
【００６６】
ここで、リージョンＡ、リージョンＢの表示開始位置（Rendering start position）および表示終了位置（Rendering end position）は、図１２（ｂ）に示すように表される。リージョンＡ、リージョンＢをＵＨＤ解像度の背景ビデオ上に表示する場合、リージョンＡ、リージョンＢはＵＨＤの座標系への変換（位置変換）が必要となる。この場合、ＵＨＤ解像度のＨＤ解像度に対する比率ｍ（例えば、ＵＨＤ解像度が４Ｋであるときはｍ＝２、ＵＨＤ解像度が８Ｋであるときはｍ＝４となる）に基づいてＵＨＤの座標系への変換（位置変換）が可能となる。なお、ビデオのＵＨＤ解像度の情報は、ビデオストリームのパラメータセット（ＳＰＳ）から検知可能である。
【００６７】
図３に戻って、システムエンコーダ１０９は、ビデオエンコーダ１０５で生成されたビデオストリームＶＳと、サブタイトルエンコーダ１０８あるいはサブタイトルエンコーダ１１３で生成されたサブタイトルストリームＳＳを含むトランスポートストリームＴＳを生成する。送信部１１０は、このトランスポートストリームＴＳを、放送波あるいはネットのパケットに載せて、受信装置２００に送信する。
【００６８】
このとき、システムエンコーダ１０９は、コンテナとしてのトランスポートストリームＴＳのレイヤに、サブタイトルの位置指定方法を示す識別情報を挿入する。具体的には、システムエンコーダ１０９は、イベント・インフォメーション・テーブル（ＥＩＴ：Event Information Table）、サービス・デスクリプション・テーブル（ＳＤＴ：Service Description Table）、あるいはセレクション・インフォメーション・テーブル（ＳＩＴ：Selection Information Table）などの配下に挿入されるコンポーネント・デスクリプタ（Component_descriptor）に、当該識別情報を挿入する。
【００６９】
図１３（ａ）は、その場合におけるコンポーネント・デスクリプタの構造例（Syntax）を示している。図１３（ｂ）は、その構造例における主要な情報の内容（Semantics）を示している。「descriptor_tag」の８ビットフィールドは、デスクリプタタイプを示し、ここでは、“０ｘ５０”とされ、コンポーネント・デスクリプタであることを示す。「descriptor_length」の８ビットフィールドは、デスクリプタの長さ（サイズ）を示し、デスクリプタの長さとして以降のバイト数を示す。
【００７０】
「display_positioning_type」の２ビットフィールドは、サブタイトルの位置指定方法を示す。“００”は、第１の方法、つまりＨＤの表示領域にＨＤ画素単位で位置指定を行う方法であることを示す。“０１”は、第２の方法、つまりＵＨＤの表示領域にウインドウでＨＤ表示領域を定義し、このウインドウの表示領域で位置指定を行う方法であることを示す。“１０”は、第３の方法、つまりＵＨＤの表示領域にＵＨＤ画素単位で位置指定を行う方法であることを示す。「stream_content」の４ビットフィールドは、ストリームのタイプを示す。ここでは、“０ｘ０３”とされ、ＤＶＢサブタイトルであることを示す。
【００７１】
「トランスポートストリームＴＳの構成例」
図１４は、トランスポートストリームＴＳの構成例を示している。この構成例では、ＰＩＤ１で識別されるビデオストリームのＰＥＳパケット「Video PES1」が存在する。また、この構成例では、ＰＩＤ２で識別されるサブタイトルストリームのＰＥＳパケット「Subtitle PES2」が存在する。
【００７２】
ビデオストリームのＰＥＳパケットには、ビデオ符号化ストリームが挿入されている。また、サブタイトルストリームのＰＥＳパケットには、サブタイトルのビットマップデータと表示制御情報を含む種々のセグメントが挿入されている。ディスプレイ・ディフィニション・セグメント（ＤＤＳ）（図４参照）には、サブタイトルの位置指定方法を示す識別情報が含まれる。
【００７３】
また、トランスポートストリームＴＳには、ＰＳＩ（Program Specific Information）として、ＰＭＴ（Program Map Table）が含まれている。ＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。
【００７４】
また、ＰＭＴには、各エレメンタリストリームに関連した情報を持つエレメンタリストリーム・ループが存在する。この構成例では、ビデオストリームに対応したビデオエレメンタリストリーム・ループ（video ES loop）と、サブタイトルストリームに対応したサブタイトルエレメンタリストリーム・ループ（Subtitle ES loop）が存在する。
【００７５】
ビデオエレメンタリストリーム・ループ（video ES loop）には、ビデオストリームに対応して、ストリームタイプ、ＰＩＤ（パケット識別子）等の情報が配置されると共に、そのビデオストリームに関連する情報を記述するデスクリプタも配置される。このビデオストリームの「Stream_type」の値は、例えばＨＥＶＣビデオストリームを示す値“０ｘ２４”に設定され、ＰＩＤ情報はビデオストリームのＰＥＳパケット「video PES1」に付与されるＰＩＤ１を示すものとされる。
【００７６】
サブタイトルエレメンタリストリーム・ループ（Subtitle ES loop）には、サブタイトルストリームに対応して、ストリームタイプ、ＰＩＤ（パケット識別子）等の情報が配置されると共に、そのサブタイトルストリームに関連する情報を記述するデスクリプタも配置される。このサブタイトルストリームの「Stream_type」の値は、例えばプライベートストリームを示す値に設定され、ＰＩＤ情報はサブタイトルストリームのＰＥＳパケット「Subtitle PES2」に付与されるＰＩＤ２を示すものとされる。
【００７７】
また、トランスポートストリームＴＳには、イベント単位の管理を行うＳＩ（Serviced Information）としてのＥＩＴ(Event Information Table)が含まれている。このＥＩＴには、番組単位のメタデータが記載される。このＥＩＴの配下に、サブタイトルの位置指定方法を示す識別情報が含まれるコンポーネント・デスクリプタ（Component_descriptor）（図１３（ａ）参照）が挿入される。
【００７８】
なお、トランスポートストリームＴＳには、サービス・デスクリプション・テーブル（ＳＤＴ：Service Description Table）やセレクション・インフォメーション・テーブル（ＳＩＴ：Selection Information Table）も含まれている。ＳＤＴには、編成チャネル名、放送事業者名など、編成チャネルに関する情報が記載される。ＳＩＴには、パーシャルＴＳのストリーム情報およびストリームで伝送されるサービスとイベントに関する情報が記載される。コンポーネント・デスクリプタは、これらのテーブルの配下に挿入される場合もある。
【００７９】
図３に示す送信装置１００の動作を簡単に説明する。カメラ１０２で撮像されて得られたＵＨＤ解像度のビデオデータ（画像データ）は、ビデオ光電変換部１０３に供給される。ビデオ光電変換部１０３では、カメラ１０２で得られたビデオデータに対して、光電変換が施されて、伝送ビデオデータＶ１が得られる。
【００８０】
ビデオ光電変換部１０３で得られた伝送ビデオデータＶ１は、ＲＧＢ/ＹＣｂＣｒ変換部１０４でＲＧＢドメインからＹＣｂＣｒ（輝度・色差）ドメインに変換された後に、ビデオエンコーダ１０５に供給される。ビデオエンコーダ１０５では、この伝送ビデオデータＶ１に対して、例えば、ＭＰＥＧ４−ＡＶＣあるいはＨＥＶＣなどのエンコード処理が施されて、符号化ビデオデータを含むビデオストリーム（ＰＥＳストリーム）ＶＳが生成される。
【００８１】
サブタイトル発生部１０６では、サブタイトル情報としてのテキストデータ（文字コード）ＤＴが発生される。このテキストデータＤＴはビットマップデータ発生部１０７に供給される。ビットマップデータ発生部１０７では、テキストデータＤＴに基づいて、サブタイトルのビットマップデータが発生される。
【００８２】
このサブタイトルのビットマップデータは、サブタイトルエンコーダ１０８に供給される。サブタイトルエンコーダ１０８では、サブタイトルのビットマップデータと表示制御情報が種々のセグメントに変換され、ペイロードにそれらのセグメントが配置されたＰＥＳパケットで構成されるサブタイトルストリームＳＳが生成される。
【００８３】
この場合、ディスプレイ・ディフィニション・セグメント（ＤＤＳ）（図４参照）には、サブタイトルの解像度の情報（「display_width」、「display_height」）が含まれる。また、このＤＤＳには、サブタイトルの位置指定方法を示す識別情報（「display_positioning_type」）が含まれる。
【００８４】
また、識別情報が第２方法（ＵＨＤの表示領域にウインドウでＨＤ表示領域に定義し、このウインドウの表示領域で位置指定を行う方法）を示すとき、このＤＤＳには、ウインドウの領域を示す情報（「display_window_horizontal_position_minimum」、「display_window_horizontal_position_maximum」、「display_window_vertical_position_minimum」、「display_window_vertical_position_maximum」）が含まれる。
【００８５】
また、ページ・コンポジション・セグメント（ＰＣＳ）（図６参照）には、リージョンの開始位置の座標（「region_horizontal_address」、「region_vertical_address」）が含まれる。この座標は、識別情報が第２方法（ＵＨＤの表示領域にウインドウでＨＤ表示領域に定義し、このウインドウの表示領域で位置指定を行う方法）を示すときは、ウインドウの開始点の座標（ｓｆｘ、ｓｆｙ）を起点とする座標となる（図９参照）。
【００８６】
また、この座標は、識別情報が第３の方法（ＨＤの表示領域にＨＤ画素単位で位置指定を行う方法）ときは、ＵＨＤ表示領域の開始点の座標（０，０）を起点とする座標となる（図１１参照）。さらに、この座標は、識別情報が第１の方法（ＨＤの表示領域にＨＤ画素単位で位置指定を行う方法）を示すときは、ＵＨＤ表示領域の開始点の座標（０，０）を起点とする座標となる（図１２参照）
【００８７】
また、リージョン・コンポジション・セグメント（ＲＣＳ）（図７参照）には、リージョンの水平、垂直のサイズを示す情報（「region_width」、「resion_height」）が含まれる。
【００８８】
ビデオエンコーダ１０５で生成されるビデオストリームＶＳは、システムエンコーダ１０９に供給される。サブタイトルエンコーダ１０８で生成されたサブタイトルストリームＳＳは、システムエンコーダ１０９に供給される。システムエンコーダ１０９では、ビデオストリームＶＳとサブタイトルストリームＳＳを含むトランスポートストリームＴＳが生成される。
【００８９】
このとき、システムエンコーダ１０９では、ＥＩＴ、ＳＤＴ、ＳＩＴなどの配下に、サブタイトルの位置指定方法を示す識別情報（「display_positioning_type」）を持つコンポーネント・デスクリプタ（Component_descriptor）（図１３参照）が挿入される。システムエンコーダ１０９で生成されたトランスポートストリームＴＳは、送信部１１０により、放送波あるいはネットのパケットに載せて、受信装置２００に送信される。
【００９０】
「受信装置の構成例」
図１５は、受信装置２００の構成例を示している。この受信装置２００は、制御部２０１と、受信部２０２と、システムデコーダ２０３と、ビデオデコーダ２０４と、サブタイトルデコーダ２０５と、位置変換部２０６と、サイズ変換部２０７を有している。また、受信装置２００は、ビデオ重畳部２０８と、ＹＣｂＣｒ/ＲＧＢ変換部２０９と、電光変換部２１０と、表示マッピング部２１１と、ＣＥモニタ２１２と、ユーザ操作部２１３を有している。
【００９１】
制御部２０１は、ＣＰＵ（Central Processing Unit）を備えて構成され、制御プログラムに基づいて、受信装置２００の各部の動作を制御する。ユーザ操作部２１３は、視聴者などのユーザが種々の操作を行うためのスイッチ、タッチパネル、リモコン送信部などである。
【００９２】
受信部２０２は、送信装置１００から放送波あるいはネットのパケットに載せて送られてくるトランスポートストリームＴＳを受信する。システムデコーダ２０３は、このトランスポートストリームＴＳから、ビデオストリームＶＳとサブタイトルストリームＳＳを抽出する。
【００９３】
また、システムデコーダ２０３は、トランスポートストリームＴＳ（コンテナ）に挿入されている種々の情報を抽出し、制御部２０１に送る。この抽出情報に、サブタイトルの位置指定方法を示す識別情報（「display_positioning_type」）が記述されたコンポーネント・デスクリプタ（図１３参照）も含まれる。これにより、制御部２０１は、サブタイトルの位置指定方法を認識する。
【００９４】
ビデオデコーダ２０４は、システムデコーダ２０３で抽出されるビデオストリームＶＳに対してデコード処理を行って、ＵＨＤ解像度の伝送ビデオデータＶ１を出力する。上述したように、ＵＨＤ解像度は、ＨＤ解像度を越えるものであり、４Ｋ解像度あるいは８Ｋ解像度を含むものである。また、ビデオデコーダ２０４は、ビデオストリームＶＳを構成する各アクセスユニットに挿入されているパラメータセットやＳＥＩメッセージを抽出し、制御部２０１に送る。
【００９５】
サブタイトルデコーダ２０５は、サブタイトルストリームＳＳにデコード処理を施して、サブタイトルのビットマップデータ（Color component data）と、サブタイトルと背景ビデオとの混合比情報（Mixing data）を得る。なお、サブタイトルストリームＳＳにはサブタイトルデータとしてサブタイトルのビットマップデータが含まれているが、このビットマップデータはＣＬＵＴに対しての伝送である。そのため、ＣＬＵＴ・デフィニション・セグメント（CLUT_definition_segment）（図８参照）に基づいて構成されるＣＬＵＴが用いられて、ビットマップデータ（Color component data）と混合比情報（Mixing data）が、画素単位で得られる。
【００９６】
また、サブタイトルデコーダ２０５は、ディスプレイ・ディフィニション・セグメント（ＤＤＳ）に挿入されているサブタイトルの位置指定方法を示す識別情報（「display_positioning_type」）を抽出し、制御部２０１に送る。これにより、制御部２０１は、サブタイトルの位置指定方法を認識する。
【００９７】
位置変換部２０６は、サブタイトルデコーダ２０５と共に、ビットマップデータ取得部を構成する。位置変換部２０６は、サブタイトルデコーダ２０５で得られたビットマップデータ（Color component data）と混合比情報（Mixing data）に対して、制御部２０１の制御のもと、識別情報（「display_positioning_type」）で指定されるサブタイトルの位置指定方法に応じて、サブタイトルの位置変換の処理を行う。
【００９８】
ここで、「display_positioning_type」＝“０１”で第２の方法が示されている場合、リージョンの位置座標は、ウインドウの起点（ｓｆｘ，ｓｆｙ）からのオフセット画素値で認識され、全表示領域であるＵＨＤ表示領域の座標に変換される（図９（ａ），（ｂ）参照）。この変換は、リージョンの位置座標に、ウインドウの起点の位置情報を付加することで、行われる（図９（ｃ）参照）。ここで、“regionA_width”＝Ｗ１、“regionA_height”＝ｈ１、“regionB_width”＝Ｗ２、“regionB_height”＝ｈ２である。
【００９９】
また、「display_positioning_type」＝“１０”で第３の方法が示されている場合、リージョンの位置座標は、ＵＨＤ表示領域の起点（０，０）からのオフセット画素値で認識される（図１１（ａ）参照）。この場合、リージョンの位置座標は既にＵＨＤ表示領域の座標であるので、座標変換は行われない（図１１（ｂ）参照）。ここで、“regionA_width”＝Ｗ１、“regionA_height”＝ｈ１、“regionB_width”＝Ｗ２、“regionB_height”＝ｈ２である。
【０１００】
また、「display_positioning_type」＝“００”で第１の方法が示されている場合、リージョンの位置座標は、ＨＤ表示領域の起点（０，０）からのオフセット画素値で認識される（図１２（ａ）参照）。この場合、リージョンの位置座標はＨＤ表示領域の座標であるので、ビデオ画枠との関係に応じて、従ってＵＨＤ解像度のＨＤ解像度に対する比率ｍに基づいてＵＨＤ表示領域の座標に変換される（図１２（ｂ）参照）。ここで、“regionA_width”＝Ｗ１、“regionA_height”＝ｈ１、“regionB_width”＝Ｗ２、“regionB_height”＝ｈ２である。
【０１０１】
図１６のフローチャートは、位置変換部２０６における位置変換処理の一例を示している。なお、ここでは、制御部２０１における関連する処理も、位置変換部２０６の処理として説明する。
【０１０２】
位置変換部２０６は、まず、ステップＳＴ１において、処理を開始する。次に、位置変換部２０６は、ステップＳＴ２において、ビデオの画枠、つまりビデオの解像度を検知する。なお、ビデオの解像度の情報は、ビデオストリームのパラメータセット（ＳＰＳ）から検知可能である。また、位置変換部２０６は、このステップＳＴ２において、サブタイトルの解像度、つまりサブタイトルの表示領域を検出する。サブタイトルの表示領域（display_width，display_height）は、ディスプレイ・ディフィニション・セグメント（ＤＤＳ）（図４参照）から検知可能である。
【０１０３】
次に、位置変換部２０６は、ステップＳＴ３において、ビデオの解像度がＵＨＤ解像度であるか否かを判断する。ＵＨＤ解像度でないと判断するとき、位置変換部２０６は、ステップＳＴ４において、処理を終了する。一方、ＵＨＤ解像度であると判断するとき、位置変換部２０６は、ステップＳＴ５の処理に移る。この実施の形態においては、ビデオの解像度がＵＨＤ解像度であるので、位置変換部２０６は、ステップＳＴ５の処理に移る。このステップＳＴ５において、位置変換部２０６は、識別情報（「display_positioning_type」）を検知する。
【０１０４】
次に、位置変換部２０６は、ステップＳＴ６において、「display_positioning_type」＝“０１”であるか否かを判断する。「display_positioning_type」＝“０１”で第２の方法が示されている場合、位置変換部２０６は、ステップＳＴ７の処理に移る。
【０１０５】
このステップＳＴ７において、位置変換部２０６は、リージョンの位置座標を、ウインドウの起点（ｓｆｘ，ｓｆｙ）からのオフセット画素値で認識し、全表示領域であるＵＨＤ表示領域の座標に変換する（図９（ａ），（ｂ）参照）。この場合、リージョンの位置座標に、ウインドウの起点の位置情報を付加することで、変換する（図９（ｃ）参照）。位置変換部２０６は、ステップＳＴ７の処理の後、ステップＳＴ４において、処理を終了する。
【０１０６】
また、ステップＳＴ６で「display_positioning_type」＝“０１”でないと判断するとき、位置変換部２０６は、ステップＳＴ８の処理に移る。このステップＳＴ８において、「display_positioning_type」＝“１０”であるか否かを判断する。「display_positioning_type」＝“１０”で第３の方法が示されている場合、位置変換部２０６は、ステップＳＴ９の処理に移る。
【０１０７】
このステップＳＴ９において、位置変換部２０６は、リージョンの位置座標を、ＵＨＤ表示領域の起点（０，０）からのオフセット画素値で認識する（図１１（ａ）参照）。この場合、リージョンの位置座標は既にＵＨＤ表示領域の座標であるので、位置変換部２０６は、座標変換は行わない（図１１（ｂ）参照）。位置変換部２０６は、ステップＳＴ９の処理の後、ステップＳＴ４において、処理を終了する。
【０１０８】
また、ステップＳＴ８で「display_positioning_type」＝“１０”でないと判断するとき、位置変換部２０６は、ステップＳＴ１０の処理に移る。このステップＳＴ１０において、「display_positioning_type」＝“００”であるか否かを判断する。「display_positioning_type」＝“００”でないと判断するとき、位置変換部２０６は、ステップＳＴ４において、処理を終了する。一方、「display_positioning_type」＝“００”であると判断するとき、位置変換部２０６は、ステップＳＴ１１の処理に移る。
【０１０９】
このステップＳＴ１１において、位置変換部２０６は、リージョンの位置座標を、ＨＤ表示領域の起点（０，０）からのオフセット画素値で認識する（図１２（ａ）参照）。この場合、リージョンの位置座標はＨＤ表示領域の座標であるので、位置変換部２０６は、ビデオ画枠との関係に応じて、従ってＵＨＤ解像度のＨＤ解像度に対する比率ｍに基づいてＵＨＤ表示領域の座標に変換する（図１２（ｂ）参照）。位置変換部２０６は、ステップＳＴ１１の処理の後、ステップＳＴ４において、処理を終了する。
【０１１０】
図１５に戻って、サイズ変換部２０７は、位置変換部２０６から出力されるビットマップデータ（Color component data）と混合比情報（Mixing data）に対して、例えば、視聴者などのユーザの操作に応じて、あるいは、ビデオ解像度およびサブタイトル解像度との関係から自動的に、サブタイトルのサイズ変換の処理を行う。
【０１１１】
図１７（ａ）に示すように、表示領域の中心位置(dc: display center)からリージョン（region）の中心位置、つまりリージョンを水平・垂直方向に２分する点(region center位置: rc)までの距離はビデオの解像度に比例して決定される。例えば、ビデオの解像度としてＨＤが想定されて字幕の表示領域の中心位置ｄｃからリージョンの中心位置ｒｃが定義される場合、ビデオの解像度が４Ｋ（＝3840x2160）の際には、ｄｃからｒｃまでの距離は画素数で２倍になるように位置の制御がなされる。
【０１１２】
図１７（ｂ）に示すように、リージョン（Region）のサイズをｒ＿ｏｒｇ（Region 00）からｒ＿ｍｏｄ（Region 01）に変更した場合、開始位置（ｒｓｘ１，ｒｓｙ１)と終了位置（ｒｅｘ１，ｒｅｙ１)は、Ｒａｔｉｏ＝（ｒ＿ｍｏｄ/ｒ＿ｏｒｇ）を満足するように、それぞれ、開始位置（ｒｓｘ２，ｒｓｙ２)と終了位置（ｒｅｘ２，ｒｅｙ２)に修正される。
【０１１３】
つまり、ｒｃから（ｒｓｘ２，ｒｓｙ２)までの距離とｒｃから（ｒｓｘ1，ｒｓｙ１）までの距離との比、およびｒｃから（ｒｅｘ２，ｒｅｙ２)までの距離とｒｃから（ｒｅｘ1，ｒｅｙ１）までの距離との比は、Ｒａｔｉｏと整合するようにされる。このようにすることで、サイズ変換を行ってもリージョンの中心位置ｒｃはそのままであり、表示領域全体の相対位置関係を一定に維持しつつ、サブタイトル（リージョン）のサイズ変換を行うことが可能となる。
【０１１４】
図１５に戻って、ビデオ重畳部２０８は、ビデオデコーダ２０４で得られた伝送ビデオデータＶ１に、位置変換部２０６およびサイズ変換部２０７を介して得られたサブタイトルのビットマップデータ（Color component data）を重畳する。この場合、ビデオ重畳部２０８は、サブタイトルのビットマップデータを、混合比情報（Mixing data）で示される混合比で混合する。
【０１１５】
ＹＣｂＣｒ/ＲＧＢ変換部２０９は、サブタイトルのビットマップデータが重畳された伝送ビデオデータＶ１´をＹＣｂＣｒ（輝度・色差）ドメインからＲＧＢドメインに変換する。電光変換部２１０は、ＲＧＢドメインに変換された伝送ビデオデータＶ１´に、それに適用されている光電変換特性に対応した電光変換特性を適用して電光変換を行って、画像を表示するための表示用ビデオデータを得る。
【０１１６】
表示マッピング部２１１は、表示用ビデオデータに対して、ＣＥモニタ２１２の最大輝度表示能力などに応じた表示輝度調整を行う。ＣＥモニタ２１２は、表示用ビデオデータに基づいて画像を表示する。このＣＥモニタ２１２は、例えば、ＬＣＤ(Liquid Crystal Display)、有機ＥＬディスプレイ（organic electroluminescence display）などで構成される。
【０１１７】
図１５に示す受信装置２００の動作を簡単に説明する。受信部２０２では、送信装置１００から放送波あるいはネットのパケットに載せて送られてくるトランスポートストリームＴＳが受信される。このトランスポートストリームＴＳは、システムデコーダ２０３に供給される。システムデコーダ２０３では、このトランスポートストリームＴＳから、ビデオストリームＶＳおよびサブタイトルストリームＳＳが抽出される。
【０１１８】
また、システムデコーダ２０３では、トランスポートストリームＴＳ（コンテナ）に挿入されている種々の情報が抽出され、制御部２０１に送られる。この抽出情報に、サブタイトルの位置指定方法を示す識別情報（「display_positioning_type」）が記述されたコンポーネント・デスクリプタ（図１３参照）も含まれる。これにより、制御部２０１では、サブタイトルの位置指定方法が認識される。
【０１１９】
システムデコーダ２０３で抽出されたビデオストリームＶＳは、ビデオデコーダ２０４に供給される。ビデオデコーダ２０４では、ビデオストリームＶＳに対してデコード処理が施されて、伝送ビデオデータＶ１が得られる。また、ビデオデコーダ２０４では、ビデオストリームＶＳを構成する各アクセスユニットに挿入されているパラメータセットやＳＥＩメッセージが抽出され、制御部２０１に送られる。
【０１２０】
システムデコーダ２０３で抽出されたサブタイトルストリームＳＳは、サブタイトルデコーダ２０５に供給される。このサブタイトルデコーダ２０５では、サブタイトルストリームＳＳにデコード処理が施されて、サブタイトルのビットマップデータ（Color component data）と、サブタイトルと背景ビデオとの混合比情報（Mixing data）が得られる。
【０１２１】
また、サブタイトルデコーダ２０５では、ディスプレイ・ディフィニション・セグメント（ＤＤＳ）に挿入されているサブタイトルの位置指定方法を示す識別情報（「display_positioning_type」）が抽出され、制御部２０１に送られる。これにより、制御部２０１では、サブタイトルの位置指定方法が認識される。
【０１２２】
サブタイトルデコーダ２０５から出力されたサブタイトルのビットマップデータと混合比情報は、位置変換部２０６に供給される。この位置変換部２０６では、サブタイトルのビットマップデータと混合比情報に対して、制御部２０１の制御のもと、識別情報（「display_positioning_type」）で指定されるサブタイトルの位置指定方法に応じて、サブタイトルの位置変換の処理が行われる。
【０１２３】
位置変換部２０６から出力されるビットマップデータと混合比情報は、サイズ変換部２０７に供給される。このサイズ変換部２０７では、サブタイトルのビットマップデータと混合比情報に対して、例えば、視聴者などのユーザの操作に応じて、あるいは、ビデオ解像度およびサブタイトル解像度との関係から自動的に、サブタイトルのサイズ変換の処理が行われる。
【０１２４】
ビデオデコーダ２０４で得られた伝送ビデオデータＶ１は、ビデオ重畳部２０８に供給される。また、位置変換部２０６およびサイズ変換部２０７を介して得られたサブタイトルのビットマップデータと混合比情報は、ビデオ重畳部２０８に供給される。ビデオ重畳部２０８では、伝送ビデオデータＶ１にサブタイトルのビットマップデータが重畳される。この場合、サブタイトルのビットマップデータが混合比情報で示される混合比で混合される。
【０１２５】
ビットマップデータが重畳された伝送ビデオデータＶ１´は、ＹＣｂＣｒ/ＲＧＢ変換部２０９に供給される。このＹＣｂＣｒ/ＲＧＢ変換部２０９では、伝送ビデオデータＶ１´がＹＣｂＣｒ（輝度・色差）ドメインからＲＧＢドメインに変換されて、電光変換部２１０に供給される。電光変換部２１０では、伝送ビデオデータＶ１´に、それに適用されている光電変換特性に対応した電光変換特性が適用されて電光変換が行われ、画像を表示するための表示用ビデオデータが得られる。
【０１２６】
この表示用ビデオデータは、表示マッピング部２１１に供給される。この表示マッピング部２１１では、表示用ビデオデータに対して、ＣＥモニタ２１２の最大輝度表示能力などに応じた表示輝度調整が行われる。このように表示輝度調整が行われた表示用ビデオデータはＣＥモニタ２１２に供給される。ＣＥモニタ２１２には、この表示用ビデオデータに基づいて画像が表示される。
【０１２７】
上述したように、図１に示す送受信システム１０において、受信装置２００では、サブタイトルの解像度がＨＤ解像度であってビデオのＵＨＤ解像度と一致しない場合、サブタイトルの位置変換の処理が行われる。そのため、サブタイトルを背景ビデオの適切な位置に表示することが可能となる。
【０１２８】
また、図１に送受信システム１０において、受信装置２００では、サブタイトルストリームに識別情報で示される位置指定方法に応じた処理が行われて表示用のサブタイトルのビットマップデータが取得される。そのため、サブタイトルの解像度がＨＤ解像度であってビデオのＵＨＤ解像度と一致しない場合であっても、サブタイトルを背景ビデオの適切な位置に表示することが可能となる。
【０１２９】
また、図１に送受信システム１０において、送信装置１００では、サブタイトルの位置指定方法を示す識別情報が、サブタイトルストリームＳＳのレイヤおよび/またはコンテナとしてのトランスポートストリームＴＳのレイヤに挿入されて送信される。そのため、受信側では、サブタイトルストリームに対してこの識別情報で示される位置指定方法に応じた処理を行って表示用のサブタイトルのビットマップデータを取得することで、サブタイトルのビデオへの重畳表示を良好に行い得る。
【０１３０】
＜２．変形例＞
なお、上述実施の形態においては、サブタイトルの位置変換などを行う例を示した。本技術は、グラフィクスやその他の同様の情報をビデオに重畳表示する場合にも同様に適用できる。
【０１３１】
また、上述実施の形態においては、コンテナがＭＰＥＧ−２  ＴＳである例を示した。しかし、本技術は、コンテナがＭＰＥＧ−２  ＴＳと限定されるものではなく、他のパケット、例えばＩＳＯＢＭＦＦやＭＭＴなどの場合でも、同様に適用できる。
【０１３２】
また、本技術は、以下のような構成を取ることもできる。
（１）ＵＨＤ解像度のビデオデータを持つビデオストリームとサブタイトルデータを持つサブタイトルストリームを含む所定フォーマットのコンテナを受信する受信部と、
上記ビデオストリームにデコード処理を施してビデオデータを得るビデオデコード部と、
上記サブタイトルストリームにデコード処理を施してサブタイトルのビットマップデータを得るサブタイトルデコード部と、
上記サブタイトルの解像度が上記ＵＨＤ解像度に不一致の場合、上記サブタイトルのビットマップデータに対して、サブタイトルの位置変換の処理を行う位置変換部と、
上記位置変換の処理が行われたサブタイトルのビットマップデータを上記ビデオデータに重畳するビデオ重畳部を備える
受信装置。
（２）上記ＵＨＤ解像度は、ＨＤ解像度を越えるものであり、４Ｋ解像度あるいは８Ｋ解像度を含むものである
前記（１）に記載の受信装置。
（３）上記位置変換部と上記ビデオ重畳部との間に介在され、上記位置変換の処理が行われたサブタイトルのビットマップデータに対して、サブタイトルのサイズ変換の処理を行うサイズ変換部をさらに備える
前記（１）または（２）に記載の受信装置。
（４）受信部により、ＵＨＤ解像度のビデオデータを持つビデオストリームとサブタイトルデータを持つサブタイトルストリームを含む所定フォーマットのコンテナを受信する受信ステップと、
上記ビデオストリームにデコード処理を施してビデオデータを得るビデオデコードステップと、
上記サブタイトルストリームにデコード処理を施してサブタイトルのビットマップデータを得るサブタイトルデコードステップと、
上記サブタイトルの解像度が上記ＵＨＤ解像度に不一致の場合、上記サブタイトルのビットマップデータに対して、サブタイトルの位置変換の処理を行う位置変換ステップと、
上記位置変換の処理が行われたサブタイトルのビットマップデータを上記ビデオデータに重畳するビデオ重畳ステップを有する
受信方法。
（５）ＵＨＤ解像度のビデオデータを持つビデオストリームとサブタイトルデータを持つサブタイトルストリームを含む所定フォーマットのコンテナを受信する受信部と、
上記ビデオストリームにデコード処理を施してビデオデータを得るビデオデコード部と、
上記サブタイトルストリームに基づいて表示用のサブタイトルのビットマップデータを取得するビットマップデータ取得部と、
上記取得された表示用のサブタイトルのビットマップデータを上記ビデオデータに重畳するビデオ重畳部を備え、
上記サブタイトルストリームのレイヤおよび/または上記コンテナのレイヤに、サブタイトルの位置指定方法を示す識別情報が挿入されており、
上記ビットマップデータ取得部は、
上記サブタイトルストリームに上記識別情報で示される位置指定方法に応じた処理を行って上記表示用のサブタイトルのビットマップデータを取得する
受信装置。
（６）上記識別情報で示される位置指定方法が、ＨＤの表示領域にＨＤ画素単位で位置指定を行う方法である場合、
上記ビットマップデータ取得部は、
上記サブタイトルストリームにデコード処理を施してサブタイトルのビットマップデータを得、該ビットマップデータに対して上記ＵＨＤ解像度の上記ＨＤ解像度に対する比率に基づいて位置変換処理を行って上記表示用のサブタイトルのビットマップデータを取得する
前記（５）に記載の受信装置。
（７）上記識別情報で示される位置指定方法がＵＨＤの表示領域にウインドウでＨＤ表示領域を定義し、該ウインドウ表示領域で位置指定を行う方法である場合、
上記ビットマップデータ取得部は、
上記サブタイトルストリームにデコード処理を施してサブタイトルのビットマップデータを得、該ビットマップデータに対して上記ウインドウ表示領域の情報に基づいて位置変換処理を行って上記表示用のサブタイトルのビットマップデータを取得する
前記（５）または（６）に記載の受信装置。
（８）上記識別情報で示される位置指定方法が、ＵＨＤの表示領域にＵＨＤ画素単位で位置指定を行う方法である場合、
上記ビットマップデータ取得部は、
上記サブタイトルストリームにデコード処理を施してサブタイトルのビットマップデータを得、該ビットマップデータをそのまま上記表示用のサブタイトルのビットマップデータとする
前記（５）から（７）のいずれかに記載の受信装置。
（９）上記ビットマップデータ取得部と上記ビデオ重畳部との間に介在され、上記ビットマップデータ取得部で取得されたサブタイトルのビットマップデータに対して、サブタイトルのサイズ変換処理を行うサブタイトル処理部をさらに備える
前記（５）から（８）のいずれかに記載の受信装置。
（１０）受信部により、ＵＨＤ解像度のビデオデータを持つビデオストリームとサブタイトルデータを持つサブタイトルストリームを含む所定フォーマットのコンテナを受信する受信ステップと、
上記ビデオストリームにデコード処理を施してビデオデータを得るビデオデコードステップと、
上記サブタイトルストリームに基づいて表示用のサブタイトルのビットマップデータを取得するビットマップデータ取得ステップと、
上記取得されたサブタイトルのビットマップデータを上記ビデオデータに重畳するビデオ重畳ステップを有し、
上記サブタイトルストリームのレイヤおよび/または上記コンテナのレイヤに、サブタイトルの位置指定方法を示す識別情報が挿入されており、
上記ビットマップデータ取得ステップでは、
上記サブタイトルストリームに上記識別情報で示される位置指定方法に応じた処理を行って上記表示用のサブタイトルのビットマップデータを取得する
受信方法。
（１１）ＵＨＤ解像度のビデオデータを持つビデオストリームとサブタイトルデータを持つサブタイトルストリームを含む所定フォーマットのコンテナを送信する送信部と、
上記サブタイトルストリームのレイヤおよび/または上記コンテナのレイヤに、サブタイトルの位置指定方法を示す識別情報を挿入する情報挿入部を備える
送信装置。
（１２）上記サブタイトルの位置指定方法には、ＨＤの表示領域にＨＤ画素単位で位置指定を行う方法が含まれる
前記（１１）に記載の送信装置。
（１３）上記サブタイトルの位置指定方法には、ＵＨＤの表示領域にウインドウでＨＤ表示領域を定義し、該ウインドウの表示領域で位置指定を行う方法が含まれる
前記（１１）または（１２）に記載の送信装置。
（１４）上記サブタイトルの位置指定方法には、ＵＨＤの表示領域にＵＨＤ画素単位で位置指定を行う方法が含まれる
前記（１１）から（１３）のいずれかに記載の送信装置。
（１５）上記情報挿入部は、
上記識別情報をイベント・インフォメーション・テーブル、サービス・デスクリプション・テーブル、あるいはセレクション・インフォメーション・テーブルの配下に挿入する
前記（１１）から（１４）のいずれかに記載の送信装置。
（１６）上記情報挿入部は、
上記識別情報をディスプレイ・ディフィニション・セグメントに挿入する
前記（１１）から（１５）のいずれかに記載の送信装置。
（１７）送信部により、ＵＨＤ解像度のビデオデータを持つビデオストリームとサブタイトルデータを持つサブタイトルストリームを含む所定フォーマットのコンテナを送信する送信ステップと、
上記サブタイトルストリームのレイヤおよび/または上記コンテナのレイヤに、サブタイトルの位置指定方法を示す識別情報を挿入する情報挿入ステップを有する
送信方法。
（１８）ＵＨＤ解像度のビデオデータを持つビデオストリームとグラフィクスデータを持つグラフィクスストリームを含む所定フォーマットのコンテナを受信する受信部と、
上記ビデオストリームにデコード処理を施してビデオデータを得るビデオデコード部と、
上記グラフィクスストリームにデコード処理を施してグラフィクスのビットマップデータを得るグラフィクスデコード部と、
上記グラフィクスの解像度が上記ＵＨＤ解像度に不一致の場合、上記グラフィクスのビットマップデータに対して、グラフィクスの位置変換の処理を行う位置変換部と、
上記位置変換の処理が行われたグラフィクスのビットマップデータを上記ビデオデータに重畳するビデオ重畳部を備える
受信装置。
（１９）ＵＨＤ解像度のビデオデータを持つビデオストリームとグラフィクスデータを持つグラフィクスストリームを含む所定フォーマットのコンテナを受信する受信部と、
上記ビデオストリームにデコード処理を施してビデオデータを得るビデオデコード部と、
上記グラフィクスストリームに基づいて表示用のグラフィクスのビットマップデータを取得するビットマップデータ取得部と、
上記取得されたグラフィクスのビットマップデータを上記ビデオデータに重畳するビデオ重畳部を備え、
上記グラフィクスストリームのレイヤおよび/または上記コンテナのレイヤに、グラフィクスの位置指定方法を示す識別情報が挿入されており、
上記ビットマップデータ取得部は、
上記グラフィクスストリームに上記識別情報で示される位置指定方法に応じた処理を行って上記表示用のグラフィクスのビットマップデータを取得する
受信装置。
（２０）ＵＨＤ解像度のビデオデータを持つビデオストリームとグラフィクスデータを持つグラフィクスストリームを含む所定フォーマットのコンテナを送信する送信部と、
上記グラフィクスストリームのレイヤおよび/または上記コンテナのレイヤに、グラフィクスの位置指定方法を示す識別情報を挿入する情報挿入部を備える
送信装置。
【０１３３】
本技術の主な特徴は、サブタイトルの解像度がＨＤ解像度であってビデオのＵＨＤ解像度と一致しない場合、サブタイトルの位置変換の処理を行うことで、サブタイトルを背景ビデオの適切な位置に表示することを可能としたことである（図１５参照）。また、本技術の主な特徴は、サブタイトルストリームに識別情報で示される位置指定方法に応じた処理を行って表示用のサブタイトルのビットマップデータを取得することで、サブタイトルの解像度がＨＤ解像度であってビデオのＵＨＤ解像度と一致しない場合であっても、サブタイトルを背景ビデオの適切な位置に表示することを可能としたことである（図１６参照）。
【符号の説明】
【０１３４】
１０・・・送受信システム
１００・・・送信装置
１０１・・・制御部
１０２・・・カメラ
１０３・・・ビデオ光電変換部
１０４・・・ＲＧＢ/ＹＣｂＣｒ変換部
１０５・・・ビデオエンコーダ
１０６・・・サブタイトル発生部
１０７・・・ビットマップデータ発生部
１０８・・・サブタイトルエンコーダ
１０９・・・システムエンコーダ
１１０・・・送信部
２００・・・受信装置
２０１・・・制御部
２０２・・・受信部
２０３・・・システムデコーダ
２０４・・・ビデオデコーダ
２０５・・・サブタイトルデコーダ
２０６・・・位置変換部
２０７・・・サイズ変換部
２０８・・・ビデオ重畳部
２０９・・・ＹＣｂＣｒ/ＲＧＢ変換部
２１０・・・電光変換部
２１１・・・表示マッピング部
２１２・・・ＣＥモニタ
２１３・・・ユーザ操作部
【図１】
2017006948.tif 000003
【図２】
2017006948.tif 000004
【図３】
2017006948.tif 000005
【図４】
2017006948.tif 000006
【図５】
2017006948.tif 000007
【図６】
2017006948.tif 000008
【図７】
2017006948.tif 000009
【図８】
2017006948.tif 000010
【図９】
2017006948.tif 000011
【図１０】
2017006948.tif 000012
【図１１】
2017006948.tif 000013
【図１２】
2017006948.tif 000014
【図１３】
2017006948.tif 000015
【図１４】
2017006948.tif 000016
【図１５】
2017006948.tif 000017
【図１６】
2017006948.tif 000018
【図１７】
2017006948.tif 000019
【国際調査報告】
2017006948.tif 000020
2017006948.tif 000021
2017006948.tif 000022
2017006948.tif 000023